(57)【要約】【課題】浴室のコーナー部に、壁面からの荷重が加わらないように、良好にガタつきなく設置できるコーナー棚の取付構造を提供する。【解決手段】横方向の長孔３，４を有するボス部３ａ，４ａを備えた取付部材２を、浴室コーナーを形成する両側の壁にそれぞれ取り付け、この両側の取付部材２，２のボス部３ａ，４ａにコーナー棚６を着脱可能に引っ掛けて、コーナー棚６を浴室コーナーに配設する。【選択図】図３
2007313032.tif 000002
【特許請求の範囲】
【請求項１】
横方向の長孔を有するボス部を備えた取付部材を、浴室コーナーを形成する両側の壁にそれぞれ取り付け、該両側の取付部材のボス部にコーナー棚を着脱可能に引っ掛けて、該コーナー棚を浴室コーナーに配設したことを特徴とする浴室用コーナー棚の取付構造。
【請求項２】
前記取付部材のボス部を跨ぐようにして嵌め込まれる凹部が前記コーナー棚に形成され、該凹部の内面が前記ボス部の外面に当接される寸法に設定されていることを特徴とする請求項１に記載の浴室用コーナー棚の取付構造。
【発明の詳細な説明】
【技術分野】
【０００１】
本発明は、浴室のコーナーに着脱可能に取り付けられる浴室用コーナー棚の取付構造に関するものである。
【背景技術】
【０００２】
従来、特許文献１に開示されているように、浴室のコーナー壁にＬ字状の棚取付け具を固設し、この棚取付け具にコーナー棚を着脱可能に取り付ける構造のものがある。
【特許文献１】特開平８−１９４８６号公報
【発明の開示】
【発明が解決しようとする課題】
【０００３】
上記特許文献１に開示されているようなコーナー棚の取付構造では、コーナー壁を形成する壁が直角でないとＬ字状の棚取付け具が上手く取り付かず、棚取付け具とコーナー壁との間に隙間が生じることとなり、無理に棚取付け具を取り付けようとすると押圧力が掛かり、取り付け状態が不安定となり、また、取り付けられるコーナー棚にガタつきが生じ易いという問題点があった。
【課題を解決するための手段】
【０００４】
本発明は上記従来の問題点に鑑み案出したものであって、浴室のコーナーを形成する両側の壁が直角でない場合でも、壁面からの荷重が加わることなく、良好に且つ、ガタつくことなくコーナー棚を取り付けることのできるコーナー棚の取付構造を提供するものであり、その請求項１は、横方向の長孔を有するボス部を備えた取付部材を、浴室コーナーを形成する両側の壁にそれぞれ取り付け、該両側の取付部材のボス部にコーナー棚を着脱可能に引っ掛けて、該コーナー棚を浴室コーナーに配設したことである。
【０００５】
また、請求項２は、前記取付部材のボス部を跨ぐようにして嵌め込まれる凹部が前記コーナー棚に形成され、該凹部の内面が前記ボス部の外面に当接される寸法に設定されていることである。
【発明の効果】
【０００６】
本発明の浴室用コーナー棚の取付構造は、横方向の長孔を有するボス部を備えた取付部材を、浴室コーナーを形成する両側の壁にそれぞれ取り付け、該両側の取付部材のボス部にコーナー棚を着脱可能に引っ掛けて、該コーナー棚を浴室コーナーに配設したことにより、取付部材は浴室コーナーを形成する両側の壁にそれぞれ取り付けられるため、取付部材のボス部の長孔により取付部材を横方向に調整して、コーナー棚をガタつかない位置に調整することができ、また、浴室コーナーの両側の壁の形成する角度が鋭角でも鈍角でも、壁面からの荷重が加わることなく良好にコーナー棚を設置することができる。
【０００７】
また、前記取付部材のボス部を跨ぐようにして嵌め込まれる凹部が前記コーナー棚に形成され、該凹部の内面が前記ボス部の外面に当接される寸法に設定されていることにより、取付部材のボス部の外面にコーナー棚の凹部の内面が当接状態となり、ガタつくことなく良好にコーナー棚を取付部材に取り付けることができるものとなる。
【実施例１】
【０００８】
以下、本発明の実施例を図面に基づいて説明する。
浴室のコーナーにコーナー棚を取り付けるに際し、先ず図１に示すように、浴室のコーナーＣを形成する直交する壁１ａ，１ｂに、それぞれ横方向に取付部材２，２をビス５，５で仮固定する。即ち、各取付部材２には一対の横長状の長孔３，４が形成されており、この各長孔３，４内にそれぞれビス５を入れて、ビス５を壁１ａ，１ｂに締め付け、各長孔３，４の中央にビス５を配置させて仮固定しておく。
【０００９】
この状態で、図２に示すように、コーナーＣに沿って上方側からコーナー棚６を一対の取付部材２，２に引っ掛ける。この際、壁１ａ，１ｂが鋭角に交差してコーナーＣを形成している場合には、長孔３，４を介して取付部材２，２をコーナーＣから離れる方向に動かし、コーナー棚６のガタつきを無くすることができ、この状態でビス５をしっかりと締め付けて取付部材２を固定し、コーナー棚２をガタつきなく取り付けることができる。
また、壁１ａ，１ｂが鈍角に交差するコーナーＣにおいては、取付部材２，２をコーナーＣに近づく方向に動かして、コーナー棚６のガタつきを無くすことができる。
即ち、前記取付部材２は、図３に示すように、長孔３，４を囲むように裏面側に水平に突出してボス部３ａ，４ａがそれぞれ形成されており、このボス部３ａ，４ａの突出寸法ａは、コーナー棚６の背板部８，９の厚みＡよりも相当大なる寸法に設定されている。
【００１０】
コーナー棚６は、図３に示すように、底板部６ａの前端は湾曲状をなして下方側へ前板部７が一体形成され、前板部７の上端側は上方へ隆起して落下防止部７ａを形成している。また、底板部６ａの背側には、直交状に背板部８，９が下方へ一体状に垂設されており、背板部８には、一対の凹部８ａ，８ｂが下方側を開放させて逆Ｕ字状に切欠き形成されている。また、同様に、背板部９にも一対の凹部９ａ，９ｂが形成されている。
なお、背板部８と９が交差する部分の底板部６ａには、上下に貫通して水抜き孔１０が形成されている。
【００１１】
図４に示すように、各取付部材２のボス部３ａ，４ａに背板部８，９の凹部８ａ，８ｂ，９ａ，９ｂがそれぞれ上方より嵌まり込むことができるように設定されており、上方より取付部材２に対しコーナー棚６を嵌め込むと、ボス部３ａ，４ａの外面に凹部８ａ，８ｂの内面が当接されるように設定されており、上方からコーナー棚６を押さえ込むことで、ガタつきなくコーナー棚６が取付部材２，２に取り付けられるように構成されている。
【００１２】
本例では、取付部材２，２は、浴室のコーナーＣを形成する各壁１ａ，１ｂにそれぞれ取り付けられるものであり、例えば図５の平面図で示すように、壁１ａ，１ｂが鋭角に交差した現場において、コーナー棚６を取り付ける場合には、図６の拡大作用説明図で示すように、背板部８，９の厚みＡは取付部材２のボス部３ａ，４ａの突出寸法ａよりも小寸法であるため、ボス部３ａ，４ａの突出寸法ａの範囲内で背板部８，９を図６のように傾かせて壁１ａ，１ｂの角度を良好に吸収させることができるものであり、取付部材２，２に上方側からコーナー棚６を引っ掛け状に嵌め込んで、一対の取付部材２を長孔３，４を介してコーナーＣから離れる方向に動かすことで、良好にコーナー棚６のガタつきを防いで取付部材のボス部３ａ，４ａを強固にコーナー棚６の凹部８ａ，８ｂ，９ａ，９ｂに当接状態とさせて、ガタつきのない状態でコーナー棚６をコーナーＣに取り付けできるものとなる。
【００１３】
逆に、図７に示すように、現場の壁１ａ，１ｂが鈍角に交差する場合には、図８の作用説明図で示すように、取付部材のボス部３ａ，４ａの突出寸法ａの範囲内で、背板部８，９を傾斜させて、壁１ａ，１ｂの角度を良好に吸収させることができ、取付部材２，２にコーナー棚６を上方から嵌め込んだ状態で、取付部材２，２をコーナーＣに近づく方向に動かすことで、ガタつくことなく強固にコーナー棚６を取り付けることができるものとなる。
このような取付構造では、コーナーＣを形成する壁１ａ，１ｂが鋭角に交差する場合、或いは鈍角に交差する場合の何れの場合にも、壁面からの荷重が加わることなくコーナー棚６を設置することができ、且つコーナー棚６をガタつかない位置に調整できるものである。
【実施例２】
【００１４】
次に、図９〜図１３には第２実施例を示す。
第２実施例では、浴室のコーナーＣを形成する壁１ａと壁１ｂにそれぞれ取付部材２０Ａと２０Ｂをビス５で取り付けるものであり、取付部材２０Ａと２０Ｂは対称形状に形成されており、長孔３を有するボス部３ａと長孔４を有するボス部４ａが当接連結片２１で連結されており、また、ボス部３ａ，４ａの外側で水平に突出して突出片２２ａ，２２ｂが形成され、ボス部３ａ側の突出片２２ｂの先端には、一体状に上方へ立ち上げて転倒防止リブ２３が形成されたものとなっている。
【００１５】
一方、コーナー棚６は、図９および図１０に示すように、底板部６ａの前面側に湾曲状に前板部７が垂設され、前板部７の上端は上方へ隆起して落下防止部７ａとなっており、この落下防止部７ａの左右両端側には、底板部６ａ側へ段状にリブ受け部１１ａ，１１ｂが一体形成されており、この各リブ受け部１１ａ，１１ｂには、背面側および下端側が開放された縦方向の縦溝１２ａ，１２ｂが形成されている。
なお、底板部６ａの背面側で直交状にそれぞれ垂設された背板部８，９には、横長状の１個の凹部８ｃ，９ｃがそれぞれ下面側を開放させて切欠き状に形成されている。
この背板部８，９の各凹部８ｃ，９ｃは、前記取付部材の一対のボス部３ａ，４ａの外面に当接状に嵌め込むことができるような横長寸法に形成されている。
【００１６】
また、本例においても、各取付部材２０Ａ，２０Ｂのそれぞれの当接連結片２１から突出するボス部３ａ，４ａの突出長さは、コーナー棚６の背板部８，９の厚みよりも大なる寸法に設定されており、図１３の要部平面概略図で示すように、各取付部材２０Ａ，２０Ｂは、その当接連結片２１とボス部３ａ，４ａが壁１ａ，１ｂに当接状態で取り付けられるものであり、取付状態ではボス部３ａ，４ａは室内側へ突出し、突出片２２ａ，２２ｂは壁１ａ，１ｂから隙間を形成して浮いた状態に配置されるものであり、この壁１ａ，１ｂと突出片２２ａ，２２ｂとの隙間内で、コーナー棚６の背板部８，９を傾斜させて、壁１ａ，１ｂが鋭角に交差する場合でも、鈍角に交差する場合でも、良好に壁１ａ，１ｂの角度を吸収させて、コーナー棚６を取付部材２０Ａ，２０Ｂに嵌め込んで取り付けできるものである。
【００１７】
なお、図１１のように、上方側からコーナー棚６を取付部材２０Ａ，２０Ｂに対し嵌め込むと、図１２のように、凹部８ｃ，９ｃの内面に取付部材のボス部３ａ，４ａの外面が当接状態となり、ガタつきがなくなるものであり、更に本例では、コーナー棚６の縦溝１２ａ，１２ｂ内に、各取付部材２０Ａ，２０Ｂのそれぞれの転倒防止リブ２３が図１２のように嵌まり込んだ状態となり、この状態では、落下防止部７ａの上方から押圧力が加わった場合にも、この転倒防止リブ２３によりコーナー棚６が引っくり返ることが良好に防がれて、強固な安定した状態でコーナー棚６をコーナーＣに取り付けることができるものとなる。
【図面の簡単な説明】
【００１８】
【図１】浴室のコーナーを形成する壁にそれぞれ取付部材を取り付ける作用説明図である。
【図２】一対の取付部材に上方側からコーナー棚を嵌め込む作用説明図である。
【図３】一対の取付部材とコーナー棚の斜視構成図である。
【図４】取付部材のボス部にコーナー棚の凹部を嵌め込む前の状態図である。
【図５】コーナーを形成する壁が鋭角に交差する場合のコーナー棚の取付状態の平面概略構成図である。
【図６】図５における取付部材とコーナー棚の取付状態の拡大作用説明図である。
【図７】コーナーを形成する壁が鈍角に交差する場合のコーナー棚の取付状態の平面概略構成図である。
【図８】図７の場合の取付部材とコーナー棚の取付状態の作用拡大説明図である。
【図９】第２実施例のコーナー棚と取付部材の分解斜視図である。
【図１０】コーナー棚を背側から見た斜視構成図である。
【図１１】取付部材にコーナー棚を上方から嵌め込む前の作用説明図である。
【図１２】嵌め込んだ状態の説明図である。
【図１３】取付部材とコーナー棚の取付状態の平面要部拡大構成図である。
【符号の説明】
【００１９】
１ａ，１ｂ  壁
２  取付部材
３，４  長孔
３ａ，４ａ  ボス部
５  ビス
６  コーナー棚
６ａ  底板部
７  前板部
７ａ  落下防止部
８，９  背板部
８ａ，８ｂ，９ａ，９ｂ  凹部
８ｃ，９ｃ  凹部
１１ａ，１１ｂ  リブ受け部
１２ａ，１２ｂ  縦溝
２０Ａ，２０Ｂ  取付部材
２１  当接連結片
２２ａ，２２ｂ  突出片
２３  転倒防止リブ
Ｃ  コーナー
【図１】
2007313032.tif 000003
【図２】
2007313032.tif 000004
【図３】
2007313032.tif 000005
【図４】
2007313032.tif 000006
【図５】
2007313032.tif 000007
【図６】
2007313032.tif 000008
【図７】
2007313032.tif 000009
【図８】
2007313032.tif 000010
【図９】
2007313032.tif 000011
【図１０】
2007313032.tif 000012
【図１１】
2007313032.tif 000013
【図１２】
2007313032.tif 000014
【図１３】
2007313032.tif 000015